(57)【要約】【課題】乗りかごまたは釣合い重りの上部に、シーブよりも高さ寸法を低減できるロープ案内装置を設けてオーバーヘッド寸法を小さくするように構成する。【解決手段】エレベータは、昇降路１と、昇降路１内を昇降する乗りかご５と、昇降路１内で乗りかご５と連動して昇降する釣合い重り８と、昇降路１内の上部に設けられたシーブ３を備えた駆動装置２とを有する。メインロープ４が、駆動装置２のシーブ３に巻き掛けられ、乗りかご５および釣合い重り８を吊り下げて昇降させる。ロープ案内装置６が、乗りかご５および釣合い重り８の上部にそれぞれ設けられ、これにメインロープ４が巻き掛けられる。ロープ案内装置６は、メインロープ４に接する表面に高分子材料からなる凸円弧状の摺動部を備えた非回転型ロープ案内装置である。【選択図】図１
2009062166.tif 000002
【特許請求の範囲】
【請求項１】
昇降路と、
この昇降路内を昇降する乗りかごと、
前記昇降路内で前記乗りかごと連動して昇降する釣合い重りと、
前記昇降路内の上部に設けられたシーブを備えた駆動装置と、
この駆動装置のシーブに巻き掛けられ、前記乗りかごおよび釣り合い重りを吊り下げて昇降させるメインロープと、
前記乗りかごおよび釣り合い重りの上部にそれぞれ設けられ、前記メインロープが巻き掛けられるロープ案内装置と、
を有し、
前記ロープ案内装置の少なくとも一方が、前記メインロープに接する表面の少なくとも一部に高分子材料からなる凸円弧状の摺動部を備えた非回転型ロープ案内装置であることを特徴とするエレベータ。
【請求項２】
前記非回転型ロープ案内装置の凸円弧状の摺動部が、鋼製のベース部材と、このベース部材の外側に配置された高分子材料製の摺動表面部材とを有することを特徴とする請求項１に記載のエレベータ。
【請求項３】
前記非回転型ロープ案内装置の凸円弧状の摺動部の最外表面の摺動表面部材がその内側の部材と異なる色であることを特徴とする請求項１または請求項２に記載のエレベータ。
【請求項４】
昇降路と、
この昇降路内を昇降する乗りかごと、
前記昇降路内で前記乗りかごと連動して昇降する釣合い重りと、
前記昇降路内の上部に設けられたシーブを備えた駆動装置と、
この駆動装置のシーブに巻き掛けられ、前記乗りかごおよび釣り合い重りを吊り下げて昇降させるメインロープと、
前記乗りかごおよび釣り合い重りの上部にそれぞれ設けられ、前記メインロープが巻き掛けられるロープ案内装置と、
を有し、
前記ロープ案内装置の少なくとも一方が、前記メインロープを案内する複数の案内ローラーを円弧状に配列して構成されていることを特徴とするエレベータ。
【発明の詳細な説明】
【技術分野】
【０００１】
本発明は、乗りかごまたは釣り合い重りの上部に設けられるロープ案内装置の高さ寸法を低減したエレベータに関するものである。
【背景技術】
【０００２】
エレベータにおいては、たとえば特許文献１の図１に記載されているように、昇降路内を昇降する乗りかごおよび釣合い重りを吊り下げるメインロープを２：１ローピング形式で構成する場合がある。この場合、昇降路の上部に設置された駆動装置のシーブにメインロープが掛け渡され、このメインロープの一端部側は、乗りかごの上部に設けられた一対のかごシーブを介して昇降路の上部に設けられた第１のロープヒッチ部に固定される。そしてメインロープの他端部側は、釣合い重りの上部に設けられた一対のシーブを介して昇降路の上部に設けられた第２のロープヒッチ部に固定される。
【０００３】
この場合に、メインロープがそれぞれ一対のシーブを介して乗りかごおよび釣合い重りを吊り下げ、その間に位置する駆動装置のシーブとメインロープの摩擦を利用して乗りかごおよび釣合い重りを昇降させるようになっている。
【０００４】
この２：１ローピング形式のエレベータは、駆動装置のシーブに加わる荷重が全体の加重の１／２となり、駆動装置などのメインロープの駆動系を小型化できることから、昇降路内に駆動装置を設置するマシンルームレスエレベータに多く採用されている。
【特許文献１】特開２００４−１１５１６１号公報
【発明の開示】
【発明が解決しようとする課題】
【０００５】
ところで、乗りかごおよび釣合い重りの上部に設けられるシーブは、法規により、シーブの直径をメインロープの構成するロープの直径の４０倍以上とすることが義務付けられている。メインロープの曲率を小さく抑えることによってメインロープの寿命を確保するためである。このため、たとえば乗りかごのオーバーヘッド寸法を小さくするためにかご上シーブの直径を小さくしようとしても、上記の法規の制限を受けてオーバーヘッド寸法を小さくすることができなかった。
【０００６】
本発明は、上述のような従来技術の問題を解決するためになされたものであり、乗りかごまたは釣合い重りの上部に、従来のシーブよりも高さ寸法を低減できるロープ案内装置を設けてオーバーヘッド寸法を小さくするようにしたエレベータを提供することを目的とする。
【課題を解決するための手段】
【０００７】
上記目的を達成するために本発明に係るエレベータの一つの態様は、昇降路と、この昇降路内を昇降する乗りかごと、前記昇降路内で前記乗りかごと連動して昇降する釣合い重りと、前記昇降路内の上部に設けられたシーブを備えた駆動装置と、この駆動装置のシーブに巻き掛けられ、前記乗りかごおよび釣り合い重りを吊り下げて昇降させるメインロープと、前記乗りかごおよび釣り合い重りの上部にそれぞれ設けられ、前記メインロープが巻き掛けられるロープ案内装置と、を有し、前記ロープ案内装置の少なくとも一方が、前記メインロープに接する表面の少なくとも一部に高分子材料からなる凸円弧状の摺動部を備えた非回転型ロープ案内装置であることを特徴とする。
【０００８】
また、本発明に係るエレベータの他の一つの態様は、昇降路と、この昇降路内を昇降する乗りかごと、前記昇降路内で前記乗りかごと連動して昇降する釣合い重りと、前記昇降路内の上部に設けられたシーブを備えた駆動装置と、この駆動装置のシーブに巻き掛けられ、前記乗りかごおよび釣り合い重りを吊り下げて昇降させるメインロープと、前記乗りかごおよび釣り合い重りの上部にそれぞれ設けられ、前記メインロープが巻き掛けられるロープ案内装置と、を有し、前記ロープ案内装置の少なくとも一方が、前記メインロープを案内する複数の案内ローラーを円弧状に配列して構成されていることを特徴とする。
【発明の効果】
【０００９】
本発明によれば、乗りかごまたは釣合い重りの上部に従来のシーブよりも高さ寸法を低減できるロープ案内装置を設けてエレベータのオーバーヘッド寸法を小さくすることができる。
【発明を実施するための最良の形態】
【００１０】
以下、本発明に係るエレベータの実施の形態について図面を参照して説明する。ここで、互いに同一または類似の部分には共通の符号を付して、重複説明は省略する。
【００１１】
［第１の実施の形態］
図１は本発明による第１の実施の形態に係るエレベータを示す正面断面図である。図２は図１の主要部を拡大して示す正面図である。
【００１２】
図１および図２において、昇降路１内の上部には、駆動装置２が設置され、この駆動装置２のシーブ３に複数本のロープからなるメインロープ４が巻き掛けられている。昇降路１内を昇降する乗りかご５の上部には、後述するロープ案内装置６が設けられており、メインロープ４の一端部は、このロープ案内装置６の下方に巻き掛けられて昇降路１上部の第１のロープヒッチ部７に固定されている。このロープヒッチ部７は、乗りかご５を案内する図示しないガイドレールに固定されている。
【００１３】
釣合い重り８の上部には、シーブ９が設けられており、メインロープ４の他端部は、このシーブ９に巻き掛けられて昇降路１上部の第２のロープヒッチ部１０に固定されている。このロープヒッチ部１０は、釣合い重り８を案内する図示しないガイドレールに固定されている。
【００１４】
このようにして乗りかご５および釣合い重り８は、メインロープ４により２：１ローピングにより吊り下げられ、駆動装置２のシーブ３とメインロープ４の摩擦を利用して駆動され、昇降路１内を昇降するようになっている。
【００１５】
ここで、ロープ案内装置６は、図２に示すように、支持部材１１を介して乗りかご５の上部に設けられている。このロープ案内装置６は、断面コ字状で水平方向に互いに平行に延びる一対の梁１２と、この一対の梁１２の両端部の間にはさまれるように配置されてボルトおよびナット１４により固定された非回転型の棒状の摺動部材１３，１３とを備えている。
【００１６】
摺動部材１３，１３は、耐摩耗性に優れたポリエチレン、ナイロン（商品名）、ジュラコン（商品名）、テフロン（商品名）等の高分子材料で成形されたもので、円柱を周方向に４分割したような断面扇形の形状をなし、その円弧状部１３ａ，１３ａの曲率がメインロープ４を構成するロープの直径の４０倍以上となるように所定の曲率で構成されている。また円弧状部１３ａの表面には、メインロープ４を構成する複数本のロープを個々に滑らせながら案内する図示しない複数個の溝部（摺動部）が形成されている。
【００１７】
したがって、乗りかご５は、メインロープ４が巻き掛けられたロープ案内装置６の摺動部材１３，１３を介してメインロープ４により吊り下げられ、メインロープ４が摺動部材１３，１３の高分子材料からなる円弧状部１３ａ，１３ａを滑るように案内されて駆動されることにより昇降することになる。
【００１８】
このようにすれば、ロープ案内装置６は、非回転型であり、回転するシーブを用いた場合の半分程度の高さ寸法で構成することができるので、乗りかご５のオーバーヘッド寸法を小さくすることができ、乗りかご５を昇降路１内の天井近くまで上昇させることができる。これにより乗りかご５の昇降行程を長くしたり、逆に同一昇降行程の場合には昇降路１の高さを低くしたりすることができ、設置効率のよいエレベータを構成できる。また、乗りかご５の上部に回転軸や軸受けなどの精密を要する部品を用いないので、コスト削減を図ることもできる。
【００１９】
なお、ロープ案内装置６の円弧状部１３ａに対しては、さらに図示しない給油装置を設けて給油することにより、円弧状部１３ａおよびメインロープ４の磨耗を低減することができる。
【００２０】
［第２の実施の形態］
図３は本発明による第２の実施の形態に係るエレベータの主要部を拡大して示す正面図である。図３において、本実施の形態が図２に示す第１の実施の形態と異なる点は、ロープ案内装置における棒状の摺動部材に代えて、円弧状部２３ａを鋼材により形成し、摺動部２３ｂを高分子材料により形成したところにある。
【００２１】
所定の曲率を有する円弧状部２３ａは、鋼材からなる枠状部材２３に構成されており、その枠状部材２３の一部が一対の梁１２にボルト、ナット１４により連結されている。この枠状部材２３の円弧状部２３ａの表面には、高分子材料により形成され、複数個の溝を有する摺動部２３ｂが接着または加硫により一体に形成されており、この摺動部２３ｂにメインロープ４が滑りにより案内されるようにして掛け渡される。
【００２２】
このようにすれば、高価な高分子材料の使用量を少なくすることができ、しかも鋼材の使用量も少なくできるので、コストおよび重量の低減を図ることができる。
【００２３】
［第３の実施の形態］
図４は本発明による第３の実施の形態に係るエレベータの主要部を拡大して示す正面図である。図４において、本実施の形態が図３に示す第２の実施の形態と異なる点は、摺動部２３ｂ，２３ｃを構成する高分子材料を、色の異なる二層に重ねて構成したところにある。
【００２４】
たとえばメインロープ４と接触する外層の摺動部２３ｃは灰色、その内側の層の摺動部２３ｂは黄色とし、灰色層の摺動部２３ｂの磨耗限界の厚みをたとえば５ｍｍとしておくと、摺動部２３ｂが磨耗して磨耗量が磨耗限界まで達すると色が黄色に変わるので、視認により磨耗限界を確認することができ、メンテナンスの作業性を向上することができる。
【００２５】
なお、図４に示す実施の形態は、図３に示す実施の形態における円弧状部２３ａを採用した場合について説明したが、図２に示す実施の形態における摺動部材１３の円弧状部１３ａにおいても摺動部を色の異なる二層に構成することができる。
【００２６】
［第４の実施の形態］
図５は本発明による第４の実施の形態に係るエレベータの主要部を拡大して示す正面図である。図５において、本実施の形態が図３に示す第２の実施の形態と異なる点は、高分子材料からなる摺動部に代えて、水平方向の両側に、それぞれ所定の曲率を有する円弧状部を形成するように複数個の案内ローラーを円弧状に配設し、この複数個の案内ローラーによりメインロープを案内するように構成したところにある。
【００２７】
複数個の案内ローラー１５は、メインロープ４を構成する複数本のロープに対応して一対の梁１２間に複数列設けられたり、あるいは、共通の案内ローラー１５に複数の案内溝が設けられたりして構成され、これら複数個の案内ローラー１５がロープの直径の４０倍以上となる曲率を有するように円弧状に配設されて摺動部３３ｂが構成されている。またこれら複数個の案内ローラー１５は、それぞれの回転軸が一対の梁１２に固定されている。
【００２８】
このように構成すれば、円弧状に配設された複数個の案内ローラー１５を備えた摺動部３３ｂによりメインロープ４を案内でき、大きな直径のシーブを用いた場合の半分程度の高さ寸法で構成することができて乗りかご５のオーバーヘッド寸法を小さくすることができる。しかも案内ローラー１５が回転することによりメインロープ４の滑りによる磨耗を低減することができる。
【００２９】
［他の実施の形態］
以上説明した実施の形態は単なる例示であって、本発明はこれらに限定されるものではない。たとえば、上記各実施の形態においては、乗りかご５の上部に設けられるロープ案内装置に適用した場合について説明したが、釣合い重り８の上部に設けられるロープ案内装置についても同様に適用できる。
【００３０】
また、第３の実施の形態（図４）では、摺動部２３ｂ，２３ｃを構成する高分子材料を色の異なる二層に重ねて構成することにより、外側の層の磨耗を目視で検知できるようにした。しかし、摺動部を構成する高分子材料を一層のみとしても、その内側に、第２の実施の形態（図３）に示すように鋼材からなる円弧状部２３ａを配置し、この鋼材の色をその外側の高分子材料の層の色と異ならせれば、外側の層の磨耗を目視で検知できるという効果が得られる。さらに、上記各実施の形態の特徴を種々組み合わせることも可能である。
【図面の簡単な説明】
【００３１】
【図１】本発明による第１の実施の形態に係るエレベータを示す正面断面図である。
【図２】図１の主要部を拡大して示す正面図である。
【図３】本発明による第２の実施の形態に係るエレベータの主要部を拡大して示す正面図である。
【図４】本発明による第３の実施の形態に係るエレベータの主要部を拡大して示す正面図である。
【図５】本発明による第４の実施の形態に係るエレベータの主要部を拡大して示す正面図である。
【符号の説明】
【００３２】
１…昇降路
２…駆動装置
３，９…シーブ
４…メインロープ
５…乗りかご
６…ロープ案内装置
７…第１のロープヒッチ部
８…釣合い重り
１０…第２のロープヒッチ部
１１…支持部材
１２…梁
１３…摺動部材
１３ａ，２３ａ…円弧状部
１４…ボルト、ナット
１５…案内ローラー
２３…枠状部材
２３ｂ，２３ｃ，３３ｂ…摺動部
【図１】
2009062166.tif 000003
【図２】
2009062166.tif 000004
【図３】
2009062166.tif 000005
【図４】
2009062166.tif 000006
【図５】
2009062166.tif 000007